(57)【要約】【課題】  パーゴラの直交配置した上枠をベース材として、これに４５度の角度に多数の架設材を載架する。【解決手段】  断面Ｓ字状にして逆向きの固定片７２を有する連結金具７を用い、固定片７２の各ネジ透孔７３からネジ止めして、ベース材４の長手方向中間位置で架設材５の長手方向両端部をネジ８で固定する。ネジ透孔７３は固定片７２の突出方向先端側に変位した位置に配置してあるから、ベース材４に対する固定片７２のネジ止めを、その幅方向端部近傍で行って、該端部から架設材５のネジ止め用の固定片７２を交差方向に突出することにより、ベース材４のネジ８を中心としてベース材４から突出したネジ透孔７３の回動範囲の角度で架設材５の固定を行なうようにする。【選択図】  図４
2010203038.tif 000002
【特許請求の範囲】
【請求項１】
連結金具を介して交差配置したベース材に架設材を架設固定したパーゴラ、仕切柵等のフレーム構造体であって、上記連結金具を、上記ベース材と架設材に対接する逆方向に向けて平行に突出しそれぞれ面内にネジ孔を透設した一対の固定片を備えて断面S字状に形成するとともに該一対の固定片をベース材と架設材の一方において長手方向に平行に、他方において長手方向に傾斜してそれぞれ配置して該ベース材及び架設材にネジ止めすることによって上記交差配置したベース材との間で三角形状をなすように架設材を傾斜配置してなることを特徴とするフレーム構造材。
【請求項２】
上記固定片を長手方向に平行に固定したベース材又は架設材の一方に、上記連結金具を被覆する一対の平行突条を一体に配置するとともに該一対の平行突条の突出方向先端にスナップイン乃至スライド係止することによって該一対の平行突条間の開口を上記ベース材と架設材の重合部位を除いて閉塞するカバー材を配置してなることを特徴とする請求項１に記載のフレーム構造材。
【請求項３】
上記ベース材と架設材の幅を広狭異幅とし、その広幅側のベース材又は架設材に対する上記固定片のネジ止めを幅方向端部において行うことによって該固定片の突出長さを規制するとともに該突出長さを一対の固定片に共通長さとし且つネジ孔位置を共通位置としてなることを特徴とする請求項１又は２に記載のフレーム構造材。
【発明の詳細な説明】
【技術分野】
【０００１】
本発明は、パーゴラや仕切柵等の構造物として好適に用い得るようにしたフレーム構造物に関する。
【背景技術】
【０００２】
例えばパーゴラは、支柱に載架した平行一対のベース材に対して多数の架設材の長手方向端部を嵌め込み状に架設固定して形成したものとされ、下記特許文献１にあっては、該架設材間にそれぞれ帯状パネルを隣接相互に段違いとなるように配置することによって屋根面を形成したものとされる。
【０００３】
一方、例えば、アルミ押出材によってテラス屋根のようなフレーム構造体を形成するについては、連結金具を介して平行一対のベース材に対して架設材を直交するように架設固定したものとされ、このとき上記連結金具は、例えば、アルミ押出材を連結するものにあっては、断面Ｕ字状に形成し、Ｕ字溝内に架設材を抱持状に受け入れてネジ止めする一方、底壁をベース材の上面にネジ止めするようにして、その連結を行なうものとされる。
【先行技術文献】
【特許文献】
【０００４】
【特許文献１】実開平０２−６８９４５号公報
【特許文献２】特開２００５−１２０７２８号公報
【発明の概要】
【発明が解決しようとする課題】
【０００５】
上記特許文献１のパーゴラは、屋根を兼用するものとして、雨天においても使用可能なものとすることができるが、平行一対のベース材に対して各架設材を、これらが直交するように架設固定するものであるので、外観が単調なものとなる傾向があり、従って、デザインに変化を付し又はデザインを多様化し得るようにすることが求められる。
【０００６】
また、上記特許文献２の連結金具を用いることによって、例えばアルミ押出材としたベース材に対する架設材の連結を簡易にして確実に行なうことによって、上記パーゴラの如きフレーム構造物を形成することができるが、該連結金具が外部に露出することによって、外観を損なう傾向があり、従って、連結金具の露出を避けてこれらの連結をなし得るようにすることが求められる。
【０００７】
本発明はかかる事情に鑑みてなされたもので、その解決課題とするところは、第一に、連結金具によって交差配置したベース材に対して架設材を簡易且つ確実に連結するとともに上記交差配置したベース材２辺と架設材１辺によって三角形状をなすようにしたフレーム構造物を提供するにあり、第２に、該連結金具の露出を防止し得るようにしたフレーム構造物を提供するにある。
【課題を解決するための手段】
【０００８】
上記第１の課題に沿って本発明は、交差配置したベース材に架設材を連結するに際して用いる連結金具を、逆方向に向けて突出した固定片を備えることによって断面Ｓ字状として、該連結金具を可及的簡易な形状とするとともに上記ベース材と架設材の一方に対する該連結金具の固定片を、その軸心に沿うように長手方向に向けて、他方に対する固定片を、その軸心に交差するように長手方向に傾斜してそれぞれ配置することによって、これら固定片を該ベース材と架設材にそれぞれネジ止めして、可及的簡易且つ確実に上記交差配置したベース材２辺と架設材１辺による三角形状をなすようにしたものであって、即ち、請求項１に記載の発明を、連結金具を介して交差配置したベース材に架設材を架設固定したパーゴラ、仕切柵等のフレーム構造体であって、上記連結金具を、上記ベース材と架設材に対接する逆方向に向けて平行に突出しそれぞれ面内にネジ孔を透設した一対の固定片を備えて断面S字状に形成するとともに該一対の固定片をベース材と架設材の一方において長手方向に平行に、他方において長手方向に傾斜してそれぞれ配置して該ベース材及び架設材にネジ止めすることによって上記交差配置したベース材との間で三角形状をなすように架設材を傾斜配置してなることを特徴とするフレーム構造材としたものである。
【０００９】
請求項２に記載の発明を、上記に加えて、上記第２の課題に沿って、その連結金具の露出を防止して、ベース材と架設材の連結外観を可及的良好なものとするように、これを、上記固定片を長手方向に平行に固定したベース材又は架設材の一方に、上記連結金具を被覆する一対の平行突条を一体に配置するとともに該一対の平行突条の突出方向先端にスナップイン乃至スライド係止することによって該一対の平行突条間の開口を上記ベース材と架設材の重合部位を除いて閉塞するカバー材を配置してなることを特徴とする請求項１に記載のフレーム構造材としたものである。
【００１０】
請求項３に記載の発明は、同じく上記に加えて、上記連結金具を、可及的コンパクトにして逆方向の固定片をベース材と架設材に共通に固定し得て、これを勝手自在のものとするように、これを、上記ベース材と架設材の幅を広狭異幅とし、その広幅側のベース材又は架設材に対する上記固定片のネジ止めを幅方向端部において行うことによって該固定片の突出長さを規制するとともに該突出長さを一対の固定片に共通長さとし且つネジ孔位置を共通位置としてなることを特徴とする請求項１又は２に記載のフレーム構造材としたものである。
【発明の効果】
【００１１】
本発明は以上のとおりに構成したから、請求項１に記載の発明は、交差配置したベース材に架設材を連結するに際して用いる連結金具を、逆方向に向けて突出した固定片を備えることによって断面Ｓ字状として、該連結金具を可及的簡易な形状とするとともに上記ベース材と架設材の一方に対する該連結金具の固定片を、その軸心に沿うように長手方向に向けて、他方に対する固定片を、その軸心に交差するように長手方向に傾斜してそれぞれ配置することによって、これら固定片を該ベース材と架設材にそれぞれネジ止めして、可及的簡易且つ確実に上記交差配置したベース材２辺と架設材１辺による三角形状をなすようにしたフレーム構造物を提供することができる。
【００１２】
請求項２に記載の発明は、上記に加えて、上記第２の課題に沿って、その連結金具の露出を防止して、ベース材と架設材の連結外観を可及的良好なものとすることができる。
【００１３】
請求項３に記載の発明は、同じく上記に加えて、上記連結金具を、可及的コンパクトにして逆方向の固定片をベース材と架設材に共通に固定し得て、該連結金具の勝手を自在としたものとすることができる。
【図面の簡単な説明】
【００１４】
【図１】パーゴラの正面図である。
【図２】パーゴラの側面図である。
【図３】パーゴラの平面図である。
【図４】ベース材と架設材の関係を示す一部切欠き拡大正面図である。
【図５】架設材の設置状態を示す縦断面図である。
【図６】ベース材と架設材の関係を示す一部切欠き平面図である。
【図７】ベース材に対する連結金具の回動範囲を示す平面図である。
【図８】連結金具の斜視図である。
【発明を実施するための形態】
【００１５】
以下図面の例に従って本発明を更に具体的に説明すれば、１は、例えばアルミ製のパーゴラ、２は、その支柱３によって支持した屋根部分をなすフレーム構造体であり、該フレーム構造体２は、連結金具７を介して交差配置したベース材４に架設材５を架設固定したものとしてあり、このとき上記連結金具７は、これを、上記ベース材４と架設材５に対接する逆方向に向けて平行に突出しそれぞれ面内にネジ孔７３を透設した一対の固定片７２を備えて断面Ｓ字状に形成するとともに該一対の固定片７２をベース材４と架設材５の一方において長手方向に平行に、他方において長手方向に傾斜してそれぞれ配置して該ベース材４及び架設材５にネジ止めすることによって上記交差配置したベース材４との間で三角形状をなすように架設材５を傾斜配置したものとしてあり、本例にあって、上記固定片７２は、これを長手方向に平行に固定したベース材４又は架設材５の一方、本例にあっては架設材５に、上記連結金具７を被覆する一対の平行突条５２を一体に配置するとともに該一対の平行突条５２の突出方向先端にスナップイン乃至スライド係止することによって該一対の平行突条５２間の開口を、上記ベース材４と架設材５の重合部位を除いて閉塞するカバー材６を配置したものとしてある。
【００１６】
本例のパーゴラＡにあって、上記ベース材４は、これを支柱３の上端にコーナーブロック４１を用いて架設配置したパーゴラ上枠とし、架設材５は、これを多数異長にして該上枠に載架固定したパーゴラ枠としてあり、パーゴラ上枠をなす上記ベース材４は中空部を有する断面矩形のアルミ押出材により、パーゴラ枠をなす架設材５は、本例にあって断面矩形の中空基部５１と、該中空基部５１の下面前後端から下向きに垂下した一対の平行突条５２と、該一対の平行突条５２の先端近傍に、上記スナップイン係止乃至スライド係止、本例にあってはスナップイン係止の一方の係止条として対向方向に突出した係止突条５３とを備えて一体に成形した同じくアルミ押出材によるものとしてあり、このとき該ベース材４と架設材５は、ベース材４を高さ１５ｃｍ、幅８ｃｍ程度のものとし、架設材５を高さ９ｃｍ、幅３ｃｍ程度のものとして、ベース材４を架設材５より高さ、幅共に大とすることによって、該ベース材４と架設材５を異高にして、その幅を広狭異幅としたものとしてある。
【００１７】
上記カバー材６は、パーゴラ上枠を割型のアルミ押出材とするように、カバー基部６１と、該カバー基部６１の幅方向両端に内側上方に向けて緩傾斜して突出した脚条６２と、該脚条６２の突出方向中間に上記スナップイン係止の他方の係止条として対向方向に凹陥した係止溝条６３とを備えて一体に成形した同じくアルミ押出材によるものとしてあり、このときその幅を、上記架設材５の幅に合せて、これより僅かに幅狭の３ｃｍ弱程度とするとともに上記係止溝条６３の高さ位置を、上記架設材５の係止突条５２の位置に合せるように配置してある。  
【００１８】
連結金具７は、基壁７１とその上下端に突出した逆方向の固定片７２とを備えて上記断面Ｓ字状をなすように、例えば１．数ｍｍ乃至それ以上の厚肉のステンレス板をプレスの曲げ加工によって折曲形成して、上記各固定片７２の面内に、例えばやや突出方向先端側に向けて変位した幅方向中央位置にネジ孔７３を、同じくプレスの打ち抜き加工によって配置したものとしてあり、本例にあって該連結金具７は、例えば高さを２．５ｃｍ、固定片７２の突出長さを２ｃｍ強、該固定片７２の幅を２ｃｍ弱程度としてあり、このとき該高さは、本例にあって、これを、架設材５の中空基部５１下面から一対の平行突条５２の突出幅に合せることによって、該一対の平行突条５２間に納まるとともに一方の固定片７２を中空基部５１の下面にネジ止めしたとき他方の固定片７２の下面が該一対の平行突条５２の先端に位置して、可及的にこれと面一となるように、その寸法を設定して形成したものとしてある。このとき本例の連結金具７は、上記広狭異幅としたベース材４と架設材５にあって、その広幅側のベース材４又は架設材５、本例にあってはベース材４に対する上記固定片７２のネジ止めを幅方向端部において行うことによって該固定片７２の突出長さを規制するとともに該突出長さを一対の固定片７２に共通長さとし且つネジ孔７３位置を共通位置としたものとしてあり、本例にあって上記ネジ孔７３を上記変位した幅方向中央位置としたことによって、後述の架設材５の連結に際して、ベース材４に対する角度の自在性を可及的に拡大して確保し得るようにしてある。
【００１９】
上枠をなす交差配置のベース材４は、例えば先端の角度を９０度とするように、接合側の長手方向先端をコーナーブロック４１によって固定することによって、その上面を同一面とした水平な面をなすものとしてあり、本例にあって該平面Ｌ字状のベース材４は、これを３本の支柱３に支持することによってベース材４長さを等長として直交して交差配置した平面Ｌ字状のものとしてある。
【００２０】
このベース材４に対して、例えば該ベース材４に対して内角を４５度とするように、本例にあって異長多数の架設材５を、該ベース材４の交差位置から順次その離隔方向に向けて、所定ピッチ、例えば２５ｃｍ程度の等ピッチで載架し、上記連結金具７によってその架設固定を行なってあり、これによってパーゴラＡは、それぞれベース材４の２辺とその上位の架設材５の１辺によって、本例にあって各ベース材４の２辺と架設材５の１辺毎にそれぞれ直角三角形の形状をなし且つこれが相似形をなすようにその架設固定を行なってある。
【００２１】
連結金具７による架設材５の架設固定は、本例にあって、ベース材４に連結金具７一方の固定片７２を先行固定し、他方の固定片７２を架設材５に後続固定することによって、これを行い、本例にあっては事前又は事後にベース材４との交差位置を除く架設材５の平行突条５２間の開口溝をカバー材６によって閉塞するものとしてある。即ち、交差配置したベース材４の上面に連結金具７の固定片７２を、その向きを架設材５の設置角度に合せて交差配置し、連結金具７一方の固定片７２のネジ孔７３からベース材４の対接面の上面にネジ８を螺入して該ベース材４に対して先行したネジ止めを行うことによって、他方の固定片７２を該ベース材４に交差してそのネジ孔７３をベース材４端縁から側方に突出配置し、その後、該固定片７２に架設材５の中空基部５１下面を対接するように載置して、該ベース材４の側方に突出したネジ孔７３からベース材４側面に沿うように架設材５の平行突条５２間の開口溝内の架設材５の中空部下面にネジ８を螺入することによって、該架設材５に対して後続したネジ止めを行うものとしてある。
【００２２】
連結金具７の固定片７２に対する架設材５の載置は、固定片７２を該架設材５の長手方向に沿ってその突出方向がこれに平行になるように行って、交差配置したベース材４に対する所定角度の架設固定するとともに上記連結金具７を一対の平行突条５２間の開口溝内に収納し、該連結金具７を平行突条５２によって被覆して連結状態で該連結金具７の露出を防止するようにしてある。またカバー材６は、その脚条６２を、架設材５の平行突条５２の開口溝に嵌め込むようにその係止溝条６３を架設材５の平行突条５２先端近傍の係止突条５３に弾発的に係止することによって、その架設材５に対してスナップイン係止による係止を行ったものとしてある。
【００２３】
このとき架設材５は、その固定片７２のネジ孔７３がベース材４から突出する限りそのネジ８による固定が可能となるところ、該ネジ孔７３は、固定片７２の突出方向に向けた先端側に変位して配置してあるから、固定片７２の長さを抑制して連結金具をコンパクトにし且つベース材４と架設材５に対する勝手をなくしつつ、連結金具７のベース材４に対するネジ８を回動中心とする円弧上に位置する該ネジ孔７３をベース材４の端縁からから突出することにより、架設材５の角度の自在性を確保することができる。本例にあって該ネジ孔７３は、ベース材４に対する直交位置からその両側にそれぞれ４５度の角度の範囲で回動するように連結金具７の設置をなし得るようにしてあり、これによってベース材４に対する架設材５の架設固定を、ベース材４に直交する場合を含めて、該直交位置から４５度の範囲内で任意の角度とすることができるようにしてある。
【００２４】
図中５４は、カバー材６を配置した架設材５の長手方向両端を閉塞した端部キャップを示す。
【００２５】
本例のパーゴラＡは、その天井のフレーム構造体２を、直交配置一対のベース材４に、４５度の角度で多数の架設材５を架設固定して、直交配置のベース材４交差位置からその離隔方向に平行多数の架設材５を底辺として相似形をなす平面直角三角形を形成して外観良好のものとする一方、ベース材４と架設材５が交差する各連結位置で連結金具７の露出を防止し且つ該連結金具７の露出を防止する架設材５の平行突条５２間の開口溝をカバー材６によって閉塞したから、下方から見上げても、矩形一体のベース材４に同じく矩形一体の架設材５を載架したような良好な外観を呈するものとすることができる。
【００２６】
図示した例は以上のとおりとしたが、ベース材の交差配置の角度を鋭角乃至鈍角のものとすること、架設材を単一又は多数のものとすること、フレーム構造物を、例えばカーポート、テラス等の屋根とし、門袖、フェンス等の起立耐とすること等を含めて、本発明の実施に当って、フレーム構造体、連結金具、ベース材、架設材、固定片、カバー材等の各具体的形状、構造、材質、これらの関係、これらに対する付加等は、上記発明の要旨に反しない限り様々な形態のものとすることができる。
【符号の説明】
【００２７】
１  パーゴラ
２  フレーム構造体
３  支柱
４  ベース材
４１  コーナーブロック
５  架設材
５１  中空基部
５２  平行突条
５３  係止突条
５４  端部キャップ
６  カバー材
６１  カバー基部
６２  脚条
６３  係止溝条
７  連結金具
７１  基壁
７２  固定片
７３  ネジ孔
８  ネジ
【図１】
2010203038.tif 000003
【図２】
2010203038.tif 000004
【図３】
2010203038.tif 000005
【図４】
2010203038.tif 000006
【図５】
2010203038.tif 000007
【図６】
2010203038.tif 000008
【図７】
2010203038.tif 000009
【図８】
2010203038.tif 000010